(57)【要約】【課  題】一次及び二次の二重防水を行って、万一水が一次防水をくゞり抜けても二次防水で食い止めて漏水を防ぐことができるようにした建物外壁の目地構造において、目地の施工バラツキにより目地幅が変化しても、止水性が低下することがないように、しかも足場を設けないで施工可能とする。【解決手段】パネル１１は、下実１２ａを有する枠体１２と外装材１３からなり、下実下に凹溝１４が形成される。枠体１２間の目地１５ａにカバー１７が被さり、目地１５ａより突出するネジ棒１９に止め具２１を差込み、ナット２２を捩込むことにより水密材１８が枠体１２に密着し、目地１５ａをシールする。カバー１７に一体に連結されるガスケット２４が外装材間の目地１５ｂに装着されシールする。施工は目地上方よりガスケット２４、水密材１８を備えたカバー１７、ネジ棒１９を目地１５ｂ、凹溝１４、目地１５ａに挿入して行う。【選択図】  図３
2004360334.tif 000002
【特許請求の範囲】
【請求項１】
枠体１２と、該枠体外側の外装材１３よりなり、側端面には枠体１２と外装材１３間に凹溝１４が形成されるパネル１１より構成される建物外壁の上記パネル１１間に形成される目地に組付けられ、一次止水手段及び二次止水手段を備えた目地構造であって、二次止水手段が枠体１２間の目地１５ａに外側より被せられるカバー１７と、該カバー１７の裏面に取着され、枠体１２に密着してシールする水密材１８と、上記カバー１７の裏面中央より長手方向に適当間隔をおいて突設されるネジ棒１９と、枠体１２間の目地１５ａに内側より当てられる止め具２１と、該止め具２１を通して突出するネジ棒１９の突出部分に捩込まれるナット２２よりなり、一次止水手段が上記二次止水手段のカバー１７と一体化されるか、或いは一体に連結され、外装材１３間の目地１５ｂに装着されることを特徴とする目地構造。
【請求項２】
枠体１２と、該枠体外側の外装材１３よりなり、側端面には枠体１２と外装材１３間に凹溝１４が形成されるパネル１１より構成される建物外壁の上記パネル１１間に形成される目地に組付けられ、一次止水手段及び二次止水手段を備えた目地構造であって、二次止水手段が枠体１２間の目地１５ａに外側より被せられるカバー１７と、該カバー１７の裏面に取着され、枠体１２に密着してシールする水密材１８と、上記カバー１７の裏面中央より長手方向に適当間隔をおいて突設されるネジ棒１９と、枠体１２間の目地１５ａに内側より当てられ、上記ネジ棒１９に捩込まれるネジ孔を形成した止め具２１よりなり、上記一次止水手段が上記二次止水手段のカバー１７と一体化されるか、或いは一体に連結され、外装材１３間の目地１５ｂに装着されることを特徴とする目地構造。
【請求項３】
カバー１７が鋼製であることを特徴とする請求項１又は２記載の目地構造。
【発明の詳細な説明】
【０００１】
【発明が属する技術分野】
本発明は、建物外壁の目地構造に関する。
【０００２】
【従来技術】
図１は、従来のこの種目地構造の一例を示すもので、外装材１間の目地２に挿入される、樹脂や合成ゴム等の成形品或いはシリコーンスポンジ、グラスウール、ロックウール等の耐火物よりなる二次ガスケット３と、目地２に被さる意匠性を持たせた一次ガスケット４とよりなっている。
【０００３】
図２は、下記特許文献１に開示されるような従来の目地構造の別の例を示すもので、両側片を外方に向けて拡開し、外装材１間の目地２に外側から被さるカバー６と、カバー裏面の両側に貼着される合成ゴム又は樹脂製の水密材７と、カバー裏面中央に長手方向に適当間隔で突設されるネジ棒８と、目地２に内側から当てられるワッシャー状の止め具９と、該止め具９から突出するネジ棒８に捩込んで締結されるナット１０とからなっている。
【０００４】
【特許文献１】実公昭６３−２９７６４号
【０００５】
【発明が解決しようとする課題】
上述の図１に示すタイプのものは、目地の施工バラツキにより目地幅が大きくなると、止水性が低下するようになる。これに対し、図２に示すジョイナータイプのものは、目地幅の変化に対応することができ、また目地に上方から挿入することにより、足場を設けないで施工することができるが、一次防水だけで二次防水の設定がないため、万一水が外装材１と水密材７との間を通って侵入すると、建物内部に漏水するようになる。
【０００６】
本発明は、一次及び二次の二重防水を行って、万一水が一次防水を通り抜けて侵入するようなことがあっても、二次防水で食い止めて建物内部への漏水を防ぐことができるようにした建物外壁の目地構造において、目地の施工バラツキにより目地幅が変化しても、止水性が低下することがないようにし、しかも足場を設けないでも施工することができるようにしたものである。
【０００７】
【課題の解決手段】
請求項１に係わる発明は、枠体と、該枠体外側の外装材よりなり、側端面には枠体と外装材間に凹溝が形成されるパネルより構成される建物外壁の上記パネル間に形成される目地に組付けられ、一次止水手段及び二次止水手段を備えた目地構造であって、二次止水手段が枠体間の目地に外側より被せられるカバーと、該カバーの裏面両側に取着され、枠体に密着してシールする水密材と、上記カバーの裏面中央より長手方向に適当間隔をおいて突設されるネジ棒と、枠体間の目地に内側より当てられる止め具と、該止め具を通して突出するネジ棒の突出部分に捩込まれるナットよりなり、一次止水手段が上記二次止水手段のカバーと一体化されるか、或いは一体に連結され、外装材間の目地に装着されることを特徴とし、
請求項２に係わる発明は、枠体と、該枠体外側の外装材よりなり、側端面には枠体と外装材間に凹溝が形成されるパネルより構成される建物外壁の上記パネル間に形成される目地に組付けられ、一次止水手段及び二次止水手段を備えた目地構造であって、二次止水手段が枠体間の目地に外側より被せられるカバーと、該カバーの裏面に取着され、枠体に密着してシールする水密材と、上記カバーの裏面中央より長手方向に適当間隔をおいて突設されるネジ棒と、枠体間の目地に内側より当てられ、上記ネジ棒に捩込まれるネジ孔を形成した止め具よりなり、上記一次止水手段が上記二次止水手段のカバー１７と一体化されるか、或いは一体に連結され、外装材１３間の目地１５ｂに装着されることを特徴とする。
【０００８】
上記各発明によると、一次及び二次の止水手段によって二重防水機能を果たすようになり、万一水が一次止水手段を通って侵入するようなことがあっても二次止水手段で食い止められ、建物内への漏水を防ぐことができると共に、施工のバラツキにより目地幅が変動しても、下地材に対する水密材の接触位置或いは接触面積が変化するだけで、二次止水手段が下地材間の目地をシールし、止水性を確保することができる。また、一次及び二次止水手段は一体をなし、共に目地上方より差込むことができるから、足場を設けないで、目地構造を施工することができる。
【０００９】
本発明で用いる一次止水手段としては、例えば図３に示すように、柱部上端から両側へ突出するリップを有し、表面が意匠性を備えていて、目地に装着したとき、リップが外装材端面により弾性変形してシールする、樹脂や合成ゴム等の成形品よりなるガスケットを例示することができる。
【００１０】
二次止水手段の水密材にも一次止水手段と同様の材質のものを用いることができるが、好ましくはその発泡体とされる。
止め具としては、長尺で、長手方向に適当間隔でネジ棒が通される孔又はネジ棒に捩込まれるネジ孔をあけた帯金や、ワッシャー状のピース部材等を例示することができる。なお、ネジ孔が形成される止め具には、とくにナットを設ける必要はないが、止め具の弛み止めのため、ナットを用いてもよい。
【００１１】
カバーは、ナット又は止め具をネジ棒に捩込んで締結したときの強度に耐えられるようなものであればよく、とくに制限はないが、好ましくは耐熱性のある金属、より好ましくは比較的強度があって、防錆性のある安価な鋼製のものが望ましい。
したがって請求項３に係わる発明は、請求項１又は２に係わる発明において、カバーが鋼製であることを特徴とする。
【００１２】
【発明の実施の形態】
図３は、本発明に係わる目地構造を示すもので、パネル１１は、下実１２ａを有する枠体１２と、その外側の外装材１３とからなり、側端面には枠体１２の下実１２ａと外装材１３との間に凹溝１４が形成されている。
この凹溝１４には、該凹溝１４を形成する枠体１２や外装材１３への吸水防止対策として、断面コ字形をなす、好ましくは樹脂又は鋼製の保護材を取付けてもよい。
【００１３】
外壁を構成するパネル１１間の目地１５ａ、１５ｂに組付けられる目地構造は、凹溝１４と枠体１２間の目地１５ａに装着される二次止水手段と、該二次止水手段と一体に連結され、外装材１３間の目地１５ｂに装着される一次止水手段とからなっており、以下、各止水手段について順に説明する。
【００１４】
二次止水手段は、凹溝内に挿入され、目地１５ａに被さる長尺な鋼製のカバー１７と、図４に示すようにカバー１７の裏面両側に貼着される帯状の合成ゴム又は樹脂製の発泡体よりなる水密材１８と、カバー裏面中央に長手方向に定間隔で突設されるネジ棒１９と、目地１５ａより突出するネジ棒１９に通される止め具２１と、止め具２１から突出するネジ棒１９の突出部分に捩込まれるナット２２からなり、止め具２１は詳細を図示していないが、ネジ棒１９が通される孔をネジ棒１９の間隔と等間隔で形成した帯金より構成されるか、或いはワッシャー状のピース部材で構成される。
【００１５】
一次止水手段は、断面工形のガスケット２４よりなり、このガスケット２４は、下側部がカバー１７に既知の方法、例えばカバー１７より突出される突片でかしめ付けしたり、嵌合部に嵌合する方法により、或いはカバー１７をインサート成形することにより、更にはまた接着剤や両面接着テープ等により接着して一体に連結されている。
【００１６】
次に図３に示す目地構造の施工例について説明する。
建物躯体にパネル１１を組付後、パネル上方より目地１５ａ、１５ｂ内に図４に示す目地材２６を、ガスケット２４が目地１５ｂ内に、水密材１８を取着したカバー１７が凹溝１４内に、またネジ棒１９が目地１５ａ内に入るようにして押し込む。次に目地１５ａより突出するネジ棒１９に止め具２１を差し込んで目地１５ａに被せたのち、止め具２１より突出するネジ棒１９にナット２２を捩込み、締結する。締結に伴い、ネジ棒１９が図３の矢印方向に押し動かされ、これによりガスケット２４が谷状に屈曲しながら外装材間の目地１５ｂに押し込まれる。こうして図３に示す目地構造が施工される。
【００１７】
図５に示す目地構造は、図３に示す目地材２６において、ガスケット２４に代えて、該ガスケット２４より硬度が大で、カバー１７より突出する部分が断面Ｔ形をなす丈の長いガスケット２８を設け、該ガスケット２８を外装材間の目地１５ｂに被さるようにしたものである。
【００１８】
【発明の効果】
請求項１及び２に係わる発明によると、一次及び二次止水手段によって二重防水機能が果たされるため、万が一、水が一次止水手段を通って侵入するようなことがあっても、二次止水手段で食い止められ、建物内への漏水を防ぐことができること、二次止水手段のカバーが枠体間の目地に被さって止水しているため、施工上のバラツキにより目地幅が変化することがあっても、枠体間の目地がシールされ、止水性を確保することができること、一次及び二次止水手段は一体をなし、共に目地に上方より差し込んで装着することができるから、足場を設けないで目地構造を施工することができること等の効果を奏する。
【００１９】
請求項３に係わる発明によると、カバーを鋼製とすることにより、目地構造に耐火性を持たせることができる。
【図面の簡単な説明】
【図１】従来の目地構造の断面図。
【図２】従来の目地構造の別の例の断面図。
【図３】本発明に係わる目地構造の断面図。
【図４】図３に示す目地構造で用いる目地材の斜視図。
【図５】図３に示す目地構造の変形態様を示す断面図。
【符号の説明】
１１・・パネル
１２・・枠体
１３・・外装材
１４・・凹溝
１５ａ、１５ｂ・・目地
１７・・カバー
１８・・水密材
１９・・ネジ棒
２１・・止め具
２２・・ナット
２４、２８・・ガスケット
２６・・目地材
【図１】
2004360334.tif 000003
【図２】
2004360334.tif 000004
【図３】
2004360334.tif 000005
【図４】
2004360334.tif 000006
【図５】
2004360334.tif 000007